(57)【特許請求の範囲】
【請求項１】
少なくとも文字、数字、記号、図形、模様の何れかの表示形状を立体的に見せる立体表示体において、
該表示形状が光輝性を有するものであり、
該表示形状の縁部を覆う縁取部を有し、該縁取部が該表示形状の縁部の光輝性を低減させる曇り性を有することを特徴とする立体表示体。
【請求項２】
表示形状の周囲に位置し、該表示形状を表出させる背景部をさらに有する請求項１記載の立体表示体。
【請求項３】
少なくとも文字、数字、記号、図形、模様の何れかの表示形状と、該表示形状の周囲に位置し該表示形状を表出させる背景部とを有し、背景部を立体的に見せる立体表示体において、
背景部が光輝性を有するものであり、
該背景部の縁部を覆う縁取部を有し、該縁取部が該縁部を視認可能とする透光性を有しながら前記表示形状の光輝性を低減させる曇り性を有することを特徴とする立体表示体。
【請求項４】
少なくとも文字、数字、記号、図形、模様の何れかの表示形状と、該表示形状の周囲に位置し該表示形状を表出させる背景部とを有し、該表示形状および背景部を立体的に見せる立体表示体において、
該表示形状および背景部が光輝性を有するものでなり、
該表示形状と該背景部の縁部を覆う縁取部を有し、該縁取部が該縁部を視認可能とする透光性を有しながら該表示形状の光輝性を低減させる曇り性を有し、
該表示形状と該背景部とは色調が異なることを特徴とする立体表示体。
【請求項５】
少なくとも文字、数字、記号、図形、模様の何れかの表示形状と、該表示形状の周囲に位置し該表示形状を表出させる背景部とを有し、該表示形状および背景部を立体的に見せる立体表示体において、
該表示形状および背景部が光輝性を有するものでなり、
該表示形状の縁部を覆う第１縁取部を有し、第１縁取部が表示形状の縁部を視認可能とする透光性を有しながら該表示形状の光輝性を低減させる曇り性を有し、
該背景部の縁部を覆う第２縁取部を有し、第２縁取部が背景部の縁部を視認可能とする透光性を有しながら該背景部の光輝性を低減させる曇り性を有し、第１縁取部とは異なる可視光線透過率を有する、
ことを特徴とする立体表示体。
【請求項６】
縁取部が透明樹脂１００重量部に対して、白色顔料を１重量部〜１０重量部含有する印刷層でなる請求項１〜請求項５何れか１項記載の立体表示体。
【請求項７】
表示形状が光輝性インキによる光輝層で形成される請求項１〜請求項６何れか１項記載の立体表示体。
【請求項８】
表示形状が透光性印刷層と光輝層との積層で形成される請求項１〜請求項７何れか１項記載の立体表示体。
【請求項９】
光輝層が光輝性フィルムでなる請求項８記載の立体表示体。
【請求項１０】
請求項１〜請求項９何れか１項記載の立体表示体の表面に透明樹脂でなる成形体を積層して有する加飾成形体。
【請求項１１】
前記成形体が入力スイッチ用キートップのキートップ本体である請求項１０記載の加飾成形体。
【請求項１２】
請求項１〜請求項９何れか１項記載の立体表示体の底面に樹脂フィルムを積層して有する加飾シート。
【請求項１３】
少なくとも文字、数字、記号、図形、模様の何れかの表示形状と、該表示形状の縁部を覆う縁取部と、該縁取部の周囲に位置し該表示形状を表出させる背景部と、光輝性フィルムとを備えて該表示形状を立体的に見せる立体表示体を、透明樹脂でなる成形体の底面に有する加飾成形体の製造方法において、
前記成形体の底面に第一層を印刷して背景部を形成し、
曇りのある樹脂インキで第二層を印刷して縁取部を形成し、
透光性インキで第三層を印刷して表示形状を形成し、そして
第三層に光輝性フィルムを貼付して、光輝性を有する表示形状の縁部の光輝性を縁取部が低減する立体表示体を形成することを特徴とする加飾成形体の製造方法。
【発明の詳細な説明】
【技術分野】
【０００１】
本発明は、文字や数字、記号、図形、模様などの所定の表示形状や、その表示形状の周囲に位置して該表示形状を表出させる背景部を立体的に見せる立体表示体に関し、さらに、この立体表示体を備える入力スイッチ用キートップなどの加飾成形体や、ステッカー、シールなどの加飾シート、印刷物など、表示形状や背景部を立体的に見せる加飾が施された加飾製品に関する。
【背景技術】
【０００２】
少なくとも文字、数字、記号、図形、模様などの表示形状はさまざまな部材の一部に形成されている。例えば、パソコンへの入力を行うキーボードや、携帯電話機の押釦などのキー表面には文字や数字、記号が付されているし、ステッカーや転写シート、シール、ラベルなどの表面には文字に加えて図形や模様が表されている。
【０００３】
そして、これらの製品の中には、デザインバリエーションの一つとして、表示形状を立体的に見せる工夫がなされたものがある。この表示形状を立体的に見せる方法には種々あり、例えば、携帯電話機に用いられる押釦スイッチ用キートップでは、透明なキートップの内部に文字や数字を３次元形状に形成して埋め込む方法が用いられ、例えば特開２０００−２１２５９号公報（特許文献１）、特開２００２−２３９２４号公報（特許公報２）、特開２００２−２１６５７２号公報（特許文献３）などに記載されている。また、透明な樹脂キートップの上面に表示形状を印刷で設ける一方、樹脂キートップの底面には反射率が０．３以上の黒色以外の背景色を施して表示形状を立体的に見せる方法が特開２００２−４２５９８号公報（特許文献４）に記載されている。
【特許文献１】特開２０００−２１２５９号公報
【特許文献２】特開２００２−２３９２４号公報
【特許文献３】特開２００２−２１６５７２号公報
【特許文献４】特開２００２−４２５９８号公報
【発明の開示】
【発明が解決しようとする課題】
【０００４】
しかしながら、３次元の表示形状を実際に形成する前者の方法は、成形時にキートップに凹溝を形成し、この凹溝に流動性のある色つき樹脂を注入した後、封止することが必要であり、エアーの取り込みなどが生じて歩留まりが悪く、手間がかかって製造コストが高価になる。また、特許文献４に記載の後者の方法は、キートップ形状に制限を受けたり、キートップの厚さが薄くなると立体的に見えにくいという不都合がある。そのため、これらの方法では、製造が困難であるし、厚みがある成形体に対しては適用できるものの厚みのないステッカーやラベルには適用し難く、また成形体の薄型化の要請には応えにくい方法であった。
【０００５】
そこで、本発明は簡単にそして薄くても表示形状や背景部を立体的に見せることができる立体表示体を得ることを目的とする。また、本発明はこの立体表示体を備えることで表示形状や背景部を立体的に見せる加飾がなされた加飾成形体や加飾シートなどの加飾製品とこれらの製造方法を得ることを目的とする。
【課題を解決するための手段】
【０００６】
上記目的を達成すべく本発明は、少なくとも文字、数字、記号、図形、模様の何れかの表示形状を立体的に見せる立体表示体について、該表示形状が光輝性を有するものであり、該表示形状の縁部を覆う縁取部を有し、該縁取部が該表示形状の縁部の光輝性を低減させる曇り性を有することを特徴とする立体表示体を提供する。
【０００７】
少なくとも文字、数字、記号、図形、模様の何れかの表示形状を立体的に見せる立体表示体について、該表示形状が光輝性を有するものであり、該表示形状の縁部を覆う縁取部を有し、該縁取部が該表示形状の縁部の光輝性を低減させる曇り性を有するものとしたため、表示形状を立体的に見せることができる。また、立体表示体の厚みを薄くすることができる。なお「光輝性を有する」ものの例として、金属調の光沢を発するものが挙げられる。また、表示形状を立体的に見せることができる理由の一つとして、縁取部によって表示形状の周辺に陰影が生じることが挙げられる。
【０００８】
そして、本発明は、表示形状の周囲に位置し、該表示形状を表出させる背景部をさらに有する請求項１記載の立体表示体とすることができる。表示形状の周囲に位置し、該表示形状を表出させる背景部を有するものとしたため、立体表示体の中に表示形状と表示形状以外の部分を設けることができ、視認される部位における表示形状の大きさを調整することができる。
【０００９】
また、本発明は、少なくとも文字、数字、記号、図形、模様の何れかの表示形状と、該表示形状の周囲に位置し該表示形状を表出させる背景部とを有し、背景部を立体的に見せる立体表示体について、背景部が光輝性を有するものであり、該背景部の縁部を覆う縁取部を有し、該縁取部が該縁部を視認可能とする透光性を有しながら前記表示形状の光輝性を低減させる曇り性を有することを特徴とする立体表示体を提供する。
【００１０】
少なくとも文字、数字、記号、図形、模様の何れかの表示形状と、該表示形状の周囲に位置し該表示形状を表出させる背景部とを有し、背景部を立体的に見せる立体表示体について、背景部が光輝性を有するものであり、該背景部の縁部を覆う縁取部を有し、該縁取部が該縁部を視認可能とする透光性を有しながら前記表示形状の光輝性を低減させる曇り性を有することとしたため、背景部を立体的に見せることができる。また、立体表示体の厚みを薄くすることができる。
【００１１】
さらに本発明は、少なくとも文字、数字、記号、図形、模様の何れかの表示形状と、該表示形状の周囲に位置し該表示形状を表出させる背景部とを有し、該表示形状および背景部を立体的に見せる立体表示体について、該表示形状および背景部が光輝性を有するものでなり、該表示形状と該背景部の縁部を覆う縁取部を有し、該縁取部が該縁部を視認可能とする透光性を有しながら該表示形状の光輝性を低減させる曇り性を有し、該表示形状と該背景部とは色調が異なることを特徴とする立体表示体を提供する。
【００１２】
少なくとも文字、数字、記号、図形、模様の何れかの表示形状と、該表示形状の周囲に位置し該表示形状を表出させる背景部とを有し、該表示形状および背景部を立体的に見せる立体表示体について、該表示形状および背景部が光輝性を有するものでなり、該表示形状と該背景部の縁部を覆う縁取部を有し、該縁取部が該縁部を視認可能とする透光性を有しながら該表示形状の光輝性を低減させる曇り性を有し、該表示形状と該背景部とは色調が異なることとしたため、表示形状と背景部をともに立体的に見せることができる。また、立体表示体の厚みを薄くすることができる。
【００１３】
あるいは本発明は、少なくとも文字、数字、記号、図形、模様の何れかの表示形状と、該表示形状の周囲に位置し該表示形状を表出させる背景部とを有し、該表示形状および背景部を立体的に見せる立体表示体について、該表示形状および背景部が光輝性を有するものでなり、該表示形状の縁部を覆う第１縁取部を有し、第１縁取部が表示形状の縁部を視認可能とする透光性を有しながら該表示形状の光輝性を低減させる曇り性を有し、該背景部の縁部を覆う第２縁取部を有し、第２縁取部が背景部の縁部を視認可能とする透光性を有しながら該背景部の光輝性を低減させる曇り性を有し、第１縁取部とは異なる可視光線透過率を有することを特徴とする立体表示体を提供する。
【００１４】
少なくとも文字、数字、記号、図形、模様の何れかの表示形状と、該表示形状の周囲に位置し該表示形状を表出させる背景部とを有し、該表示形状および背景部を立体的に見せる立体表示体について、該表示形状および背景部が光輝性を有するものでなり、該表示形状の縁部を覆う第１縁取部を有し、第１縁取部が表示形状の縁部を視認可能とする透光性を有しながら該表示形状の光輝性を低減させる曇り性を有し、該背景部の縁部を覆う第２縁取部を有し、第２縁取部が背景部の縁部を視認可能とする透光性を有しながら該背景部の光輝性を低減させる曇り性を有し、第１縁取部とは異なる可視光線透過率を有するものとしたため、表示形状と背景部をともに立体的に見せることができる。また、立体表示体の厚みを薄くすることができる。
【００１５】
以上の本発明において、前記縁取部を透明樹脂１００重量部に対して、白色顔料を１重量部〜５重量部含有する印刷層でなるものとすることができる。縁取部が透明樹脂１００重量部に対して、白色顔料を１重量部〜１０重量部含有する印刷層としたため、表示形状の縁部を透視することができ、縁取部を白っぽく濁らせることで表示形状をより自然に立体的に見せることができる。
【００１６】
また、前記立体表示体における表示形状が、光輝性インキによる光輝層で形成されるものとすることができる。表示形状が、光輝性インキによる光輝層としたため、表示形状の形成を印刷で簡単に行うことができる。
【００１７】
前記光輝層における全固形分中の光輝性粒子の含量は３ｗｔ％〜８５ｗｔ％とすることができる。３ｗｔ％〜８５ｗｔ％とすれば、光輝性に優れ表示形状をはっきりと立体的に見せることができる。また、この範囲内で光輝性粒子分を増減させることで、透光性の光輝層としたり、非透光性の光輝層とすることができ、デザインバリエーションを増加させることができる。
【００１８】
あるいは、表示形状を透光性印刷層と光輝層との積層で形成されるものとすることができる。表示形状が透光性印刷層と光輝層との積層構造でなるものとしたため、表示形状の形成において印刷による方法だけでなく、光輝性フィルムを用いることが可能となる。
【００１９】
そして、光輝層に光輝性フィルムを用いれば、濃度むらがなく光輝性の程度が安定した立体表示体とすることができる。また、光輝性フィルムがベース部材となるため、別途、新たなフィルムや成形体と固着することなく、立体的な表示形状を付与する部材として利用することができる。
【００２０】
本発明は、こうした立体表示体の表面に透明樹脂でなる成形体を積層して有する加飾成形体とすることができる。前記立体表示体の表面に透明樹脂でなる成形体を積層して有する加飾成形体としたため、所望の成形体に立体的に見える表示形状を有することができる。なお、本発明で用いられる透明樹脂における「透明」には、無色透明である場合の他、有色透明である場合や、曇りがかった透明の場合も含むものとし、透明樹脂を通して立体表示体が透けて見えるものであれば良い。
【００２１】
この成形体を入力スイッチ用キートップのキートップ本体とすれば、立体的に見える表示形状を有する入力スイッチ用キートップが得られる。そして、立体的に見える表示形状を有する入力スイッチ用キートップを用いれば、キートップの部分がデザインに優れた携帯電話機などの電子機器とすることができる。
【００２２】
また、立体表示体の底面に樹脂フィルムを積層して有する加飾シートとすることができる。立体表示体の底面に樹脂フィルムを積層して有する加飾シートとしたため、所望のシート上に立体的に見える表示形状を有することができる。そして、立体的に見える表示形状を有する薄型のシートとすることができる。
【００２３】
さらに本発明は、少なくとも文字、数字、記号、図形、模様の何れかの表示形状と、該表示形状の縁部を覆う縁取部と、該縁取部の周囲に位置し該表示形状を表出させる背景部とを備え、該表示形状を立体的に見せる立体表示体を、透明樹脂でなる成形体の底面に有する加飾成形体の製造方法について、前記成形体の底面に背景部となる第一層を印刷し、縁取部となる第二層を印刷し、表示形状となる第三層を印刷し、そして光輝性フィルムを貼付して、第一層、第二層、第三層及び光輝性フィルムが積層してなる立体表示体を成形体の底面に設けることを特徴とする加飾成形体の製造方法を提供する。
【００２４】
少なくとも文字、数字、記号、図形、模様の何れかの表示形状と、該表示形状の縁部を覆う縁取部と、該縁取部の周囲に位置し該表示形状を表出させる背景部とを備え、該表示形状を立体的に見せる立体表示体を、透明樹脂でなる成形体の底面に有する加飾成形体の製造方法について、前記成形体の底面に背景部となる第一層を印刷し、縁取部となる第二層を印刷し、表示形状となる第三層を印刷し、そして光輝性フィルムを貼付して、第一層、第二層、第三層及び光輝性フィルムが積層してなる立体表示体を成形体の底面に設けることとしたため、厚みの薄い構造で表示形状を立体的に見せる加飾成形体を簡単に得ることができる。
【００２５】
また、少なくとも文字、数字、記号、図形、模様の何れかの表示形状と、該表示形状の縁部を覆う縁取部と、該縁取部の周囲に位置し該表示形状を表出させる背景部とを備え、該表示形状を立体的に見せる立体表示体を、樹脂フィルムの表面に有する加飾シートの製造方法について、前記樹脂フィルムの表面に光輝性フィルムを貼付し、縁取部となる第三層を印刷し、背景部となる第二層を印刷し、そして表示形状となる第一層を透光性インキで印刷して、第一層、第二層、第三層及び光輝性フィルムが積層してなる立体表示体を樹脂フィルムの表面に設けることを特徴とする加飾フィルムの製造方法を提供する。
【００２６】
少なくとも文字、数字、記号、図形、模様の何れかの表示形状と、該表示形状の縁部を覆う縁取部と、該縁取部の周囲に位置し該表示形状を表出させる背景部とを備え、該表示形状を立体的に見せる立体表示体を、樹脂フィルムの表面に有する加飾シートの製造方法について、前記樹脂フィルムの表面に光輝性フィルムを貼付し、縁取部となる第三層を印刷し、背景部となる第二層を印刷し、そして表示形状となる第一層を透光性インキで印刷して、第一層、第二層、第三層及び光輝性フィルムが積層してなる立体表示体を樹脂フィルムの表面に設けることとしたため、厚みの薄い構造で表示形状を立体的に見せる加飾シートを簡単に得ることができる。
【発明の効果】
【００２７】
本発明の立体表示体やそれを用いた加飾成形体および加飾シート、並びに該加飾成形体の製造方法によれば、少なくとも文字、数字、記号、図形、模様の何れかの所定の表示形状や、その周囲に位置する背景部を立体的に見せることができ、こうした表示形状を有する構造を簡単にそして安価に製造できる。さらに、厚さの薄い成形体に対しても表示形状や背景部を立体的に見せることができる。
【発明を実施するための最良の形態】
【００２８】
以下、本発明の実施形態について図面を参照しつつ説明する。なお、各実施形態において同一の部分は同じ符号を付してその説明を省略する。
【００２９】
第１実施形態〔図１〜図７〕；  第１実施形態では、図１で示す携帯電話機１に用いられる押釦スイッチ用キートップ（以下「キートップ」と記載する）１０について例示する。キートップ１０は、図２や図３で示すように、シリコーンゴムなどのゴム状弾性体でなるベースシート２と固着して押釦スイッチ用キーシート３をなし、キーシート３は、プリント基板（図示せず）の上に配置して用いられる。複数あるキートップ１０の一つの平面図を図４に、その断面図を図５に示す。
【００３０】
加飾成形体としてのキートップ１０は、図４で示すように、透明な樹脂成形体でなるキートップ本体１０ａの表面１０ｃに、数字「１」の表示形状をなす表示部１２と、該表示部１２の縁部を覆う縁取部１３、さらに該縁取部１３の周囲に位置し数字「１」を表出させる背景部１４が表れている。このキートップ１０の断面構造を図５（Ａ）に、そして図５（Ａ）における領域Ｒ１の拡大図を図５（Ｂ）に示す。これらの図で示されるように、背景部１４を形成する第一層１５、縁取部１３を形成する第二層１６、第一層１５と第二層１６の形成によって生じた溝を埋めるようにべた印刷される第三層１７、そして表示部１２を光輝性とする光輝層でなる第四層１８が、キートップ本体１０ａの底面１０ｂに積層して立体表示体１１を形成している。なお、本明細書において「表面」とは観察される対象物において、表示部を観察する側の面を意味し、「底面」とは観察される対象物において、表示部を観察する側の面とは反対側の面を意味するものとする。
【００３１】
キートップ本体１０ａは、ポリカーボネート、ＡＢＳ樹脂、アクリル樹脂、ポリエステル樹脂、エポキシ樹脂、シリコーン樹脂等の硬質樹脂、あるいは、シリコーンゴムや熱可塑性エラストマーなどのゴム状弾性体を材料とし、射出成形や注型等の方法によって得られる成形体である。但し、これらの樹脂等は、キートップ本体底面１０ｂに設けられる立体表示体１１をキートップ本体１０ａの表面１０ｃから視認できるように、可視光線を効率よく透過する透明性の高い材料である必要がある。そのため、完全に透明な材質であることが好ましいが、少なくとも可視光線透過率で７０％以上の透明性を有していることが必要である。キートップ本体１０ａの厚さを０．２ｍｍ〜１．０ｍｍとすることは好ましい態様である。
【００３２】
立体表示体１１の形成は、図６で示すように、まず、背景部１４となる第一層１５をキートップ本体の底面１０ｂにシルク印刷やパッド印刷など、種々の印刷方法により抜き文字状に形成する。印刷インキは、アクリル系、ビニル系、ウレタン系、ポリエステル系、ポリカーボネート系などの材質でなるもの、加熱乾燥型、紫外線硬化型、加熱乾燥型などの硬化形態を有するものなど、種々の印刷インキを用いることができる。背景部１４は、表示部１２が目立つように表示部１２とは異なる色のインキが用いられる。また、背景部１４は、その下に形成される光輝層を視認し難くさせるように、遮光性の高いインキが好ましい。第一層１５の層厚は、抜き文字を形成する際に文字等がつぶれないという点から、３μｍ〜７μｍとすることが好ましい。
【００３３】
縁取部１３となる第二層１６もまた、背景部１４と同様に種々の材質の印刷インキを用いて種々の印刷方法により印刷形成することができる。第二層１６は、表示部１２の縁部を覆う縁取部１３を形成するため、第二層１６の形成過程では、第一層１５に重畳し、かつ第一層１５からはみ出して表示部１２の縁部に至る範囲までを印刷する。縁取部１３を通じて表示部１２の縁の部分が視認されるように縁取部１３は透光性を有する必要があるが、無色透明では表示部１２が立体的に見えにくいことから、可視光線透過率を低減させるような曇りがあることが要求される。そのため、透明性の高い樹脂バインダーに可視光線透過率を低減させるフィラーを分散させた曇りのある樹脂インキが用いられる。このフィラーには、チタン白や酸化鉄などの白色顔料を用いることもできるし、カーボンブラックやアニリンブラックなどの黒色顔料を用いることもできる。また、シリカやタルクなどの充填材を用いることもできる。これらのフィラーの中でも白色顔料や、シリカやタルクなどの充填材を用いると黒っぽくならない点で好ましく、白色顔料を用いると白っぽく曇らせることができより自然な立体感を与える点で好ましい。ポリマー１００重量部に対してシリカの場合は２．５重量部〜２５重量部、白色顔料の場合は１重量部〜１０重量部含んでいることが表示部１２を立体的に見せる点で好ましい。なお、縁取部１３を表示部１２と同系色とすることは好ましい態様である。同系色とすることで、縁取部１３が表示部１２の陰影に見えるからである。第二層１６の層厚は、第二層１６の可視光線透過率によって異なるが、立体的に見せるためには、４μｍ〜７μｍとすることが好ましい。
【００３４】
第一層１５と第二層１６とを積層した後、キートップ１０の底面１０ｂ全面に透光性インキをベタ印刷して第三層１７を形成する。第一層１５と第二層１６との印刷により表示部１２を構成する中央部分にインキが載らずに凹んで形成されるため、この凹みを埋めて平滑にする必要がある。凹みがあるまま次の工程で光輝性フィルムを固着しようとしても光輝性フィルムが固着し難いためである。また、透光性インキを用いるのは、この透光性インキの下層に設ける光輝性フィルムを視認される必要があるためである。従って、透光性インキは、無色透明でも有色透明でも曇りがかった透明でも良く、第三層１７を通して第四層１８が透けて見えるものであれば良い。第三層１７もまたシルク印刷やパッド印刷などの印刷方法により形成することができる。第三層１５の層厚は、第一層１５と第二層１６との形成で生じた凹みを埋めて段差を低減し、なだらかな凹みにするだけの厚さがあれば良く、かつ、薄くすることが好ましい。そのため、４μｍ〜７μｍとすることができる。
【００３５】
第四層１８は、金属蒸着膜が樹脂フィルムでラミネートされた光輝性フィルムで形成することができ、中でも表面に接着層を有し熱転写や押圧転写などで所望の形状に転写可能な転写シートを用いることは好ましい。図７では、光輝性フィルムを第三層１７に固着した後、不要部分を除去することを模式的に示している。第三層１７に光輝性フィルムを積層させることで、透光性インキでなる第三層１７と、光輝性フィルムでなる第四層１８との積層により光輝性を発揮する表示部１２が得られる。なお、第三層１７を形成する透光性インキを着色することで第三層１７と第四層１８との混食による色調を有する表示部１２とすることができる。離型フィルムを含めた層厚が２０μｍ〜３５μｍ程度の市販のフィルムを用いて、７μｍ〜１０μｍの層厚の第四層１８を形成することができる。
【００３６】
こうして得られたキートップ１０の表面１０ｃから内部を目視すると、表示部１２として形成された数字「１」の表示形状を立体的に見ることができる。
【００３７】
第２実施形態〔図８〜図１０〕；  本実施形態で説明するキートップ２０もまた、その平面図は第１実施形態で示したキートップ１０における図４と同様に表れる。しかし、その断面構造は異なり、図８に示すとおりである。キートップ２０では、透明な樹脂成形体でなるキートップ本体２０ａの底面２０ｂに、縁取部２３となる第一層２５、背景部２４となる第二層２６、第一層２５と第二層２６の形成によって生じた平面視で数字「１」の表示形状を表す表示部２２の溝を埋めるように透光性インキでベタ印刷される第三層２７、そして表示部２２を光輝性にする第四層２８が積層して立体表示体２１を形成している。
【００３８】
第一層２５、第二層２６、第三層２７、そして第四層２８を形成する材料は、第１実施形態における第二層１６、第一層１５、第三層１７、そして第四層１８で用いた材料にそれぞれ対応する。また、その層厚も同様である。そして、キートップ本体２０ａへの立体表示体２１の形成は、図９、図１０で示すように、キートップ本体２０ａの底面２０ｂに、第一層２５、第二層２６、第三層２７の順に印刷し、最後に第四層２８となる光輝性フィルムを貼付して該光輝性フィルムの余分な部分を取り除くことで行う。
【００３９】
こうして得られたキートップ２０の表面２０ｃから内部を目視すると、表示部２２として形成された数字「１」を立体的に見ることができる。
【００４０】
第３実施形態〔図１１、図１２〕；  本実施形態で説明するキートップ３０もまた、その平面図は第１実施形態で示したキートップ１０における図４と同様に表れる。しかし、その断面構造は異なり、図１１に示すとおりである。キートップ３０では、透明な樹脂成形体でなるキートップ本体３０ａの底面３０ｂに、縁取部３３となる第一層３５、第一層３５の形成によって生じ、平面視で数字「１」の表示形状となる表示部３２を構成する中央部分の溝を埋めるように光輝性インキを印刷してなる第二層３６、そして数字「１」の形状の周囲を形成する背景部３４となる第三層３７が積層して立体表示体３１を形成している。
【００４１】
すなわち、キートップ本体３０ａへの立体表示体３１の形成は、図１２で示すように、キートップ本体３０ａの底面３０ｂに、第一層３５、第二層３６、第三層３７の順に印刷することで行う。第一層３５は、表示部３２の周囲から表示部３２の縁部に至る範囲を印刷形成する。第２実施形態における第一層２５と同じ印刷インキを用いることができる。第二層３６は、第一層３５の形成で生じた凹み埋めつつ、表示部３２を印刷形成する。この場合、縁取部３３の部分で第一層３５と第二層３６が重畳するようになる。第二層３６は光輝層とするため、光輝性インキが用いられる。最後に、第一層３５、第二層３６に重ねてキートップ３０の底面３０ａにベタ印刷して第三層３７を形成する。
【００４２】
第一層３５、第三層３７を形成する材料は、第１実施形態における第二層１６、第一層１５で用いた材料にそれぞれ対応する。その層厚も同様である。また、第二層３６には、シルバーインキやパールインキなどの光輝性インキを用いる。光輝性インキは、光輝性粒子でなる光輝性着色材が透明性の高いバインダーに分散してなるインキである。光輝性インキに含まれる光輝性着色材には、アルミニウム、銀などの金属粉やこれらの金属を鱗片状や鱗片箔状にしたもの、雲母を用いた真珠様の光沢を有するパール顔料などが挙げられる。鱗片状や鱗片箔状の光輝性粒子を含むと、光輝層が光反射性に優れたものとなるため、はっきりと立体的に見えるデザイン性に優れた製品とすることができる。透明バインダーには、これらの光輝性着色材を分散させるのに適した透明樹脂が用いられる。立体感を出するためには光輝性インキの光反射率は高い程好ましく、光輝性粒子の含量も多いほど好ましい。しかしながら、光輝性インキの固形分における光輝性粒子の含量が８５ｗｔ％より高くなると光輝性インキの製膜性、密着性が悪くなり、３ｗｔ％より低いと立体感が得られないことを考慮すると、３ｗｔ％〜８５ｗｔ％であることがより好ましい。
【００４３】
第三層３７を印刷して形成される背景部３８は、第１実施形態における背景部１４や第２実施形態における背景部２４と異なり、光輝性インキや光輝性フィルムでなる光輝層（第四層１８，２８）を遮蔽する必要がないため、高い透光性を有する材料を用いることもできる。第四層３８に透光性の高い材料を用いれば、機器に設けた内部光源により背景部３４を照光させる照光式のキートップ３０とすることができる。
【００４４】
こうして得られたキートップ３０の表面３０ｃから内部を目視すると、表示部３２として形成された数字「１」の表示形状を立体的に見ることができる。
【００４５】
第４実施形態〔図１３〕；  本実施形態で示すキートップ４０は、第１実施形態における透光性印刷層である第三層１７と光輝性フィルムでなる第四層１８に代えて、光輝性インキにて第三層４７を形成した点以外はキートップ１０と同様の構造を有する。このキートップ４０の断面図を図１３に示す。第一層１５と第二層１６は、第１実施形態と同じであり、また、第三層４７で用いる光輝性インキは、第３実施形態の第二層３６で用いた光輝性インキと同じである。また、それぞれの層厚も同様である。
【００４６】
こうして得られたキートップ４０の表面４０ｃから内部を目視すると、表示部４２として形成された数字「１」の表示形状を立体的に見ることができる。
【００４７】
第５実施形態〔図１４〕；  本実施形態で示す加飾シート５０は、第１実施形態で示す立体表示体１１を、ベースフィルム５０ａと透明なカバーフィルム５９で挟んだ構造を有するものである。その断面図を図１４に示す。加飾シート５０の製造は、カバーフィルム５９となる透明な樹脂フィルムの底面に、第１実施形態と同様にして背景部１４となる第一層１５、縁取部１３となる第二層１６、第一層１５と第二層１６の形成によって生じた凹部を埋めつつベタ印刷される第三層１７、そして表示部５２を光輝性にする光輝性フィルムでなる第四層１８、をこの順に積層して立体表示体１１を形成し、最後に樹脂フィルムでなるベースフィルム５０ａを固着して行う。ベースフィルム５０ａの固着は、接着剤を用いたり、熱圧着により行うことができる。
【００４８】
ベースフィルム５０ａやカバーフィルム５９は、目的とする加飾シート５０の用途によってその材質、性質、厚みが選択され、例えば、ポリウレタンやポリエステル、ナイロン、ＰＥＴ、ポリカーボネートなどの樹脂フィルムが用いられる。特に、カバーフィルム５９は、表示層５２を視認可能とするため、透光性のフィルムであることが要求される。また、加飾シート５０の用途により必要に応じて、ベースフィルム５０ａの底面やカバーフィルム５９の表面に粘着層を設けることができる。こうして得られた加飾シート５０は、表示部５２となる表示形状を立体的に見ることができ、ステッカーやパネル、シールなどとして用いることができる。
【００４９】
第６実施形態〔図１５〕；  本実施形態で示す加飾シート６０は、第４実施形態における立体表示体１１に代えて第２実施形態における立体表示体２１を、カバーフィルム５９に形成する点で第５実施形態の加飾シート５０と異なる。従って、所定の立体表示体をベースフィルム５０ａとカバーフィルム５９とで挟む構造である点は第５実施形態と同じである。図１５で示すように、加飾シート６０では、カバーフィルム５９となる透明な樹脂フィルムの底面に、縁取部６３となる第一層２５、背景部６４となる第二層２６、第一層２５と第二層２６の形成によって生じ、平面視で数字「１」の表示形状となる溝を埋めるように透光性インキで形成される第三層２７、そして、表示部６２を光輝性にする第四層２８の順に積層して立体表示体２１を形成し、最後に樹脂フィルムでなるベースフィルム５０ａを固着することで得られる。こうして得られた加飾シート６０は、表示部２２となる表示形状を立体的に見ることができる。
【００５０】
第７実施形態〔図１６〕；  本実施形態で示す加飾シート７０は、第５実施形態における立体表示体１１に代えて第３実施形態における立体表示体３１を、カバーフィルム５９に形成する点で第５実施形態の加飾シート５０と異なる。図１６で示すように、加飾シート７０では、透明な樹脂フィルムでなるカバーフィルム５９の底面に、縁取部７３となる第一層３５、表示部７２を形成する光輝性インキでなる第二層３６、そして、第一層３５、第二層３６に重畳して印刷され背景部７４となる第三層３７をこの順に積層して立体表示体３１を形成し、最後にベースフィルム５０ａを固着して形成している。こうして得られた加飾シート７０は、表示部７２の表示形状を立体的に見ることができる。
【００５１】
第８実施形態〔図１７〕；  本実施形態で示す加飾シート８０は、光輝性フィルムでなる第四層８８上に、縁取部８３となる第三層８７、背景部８４となる第二層８６を積層した後、第二層８６と第三層８７とで生じた溝を埋めるように透光性インキでべた印刷して第一層８５を形成することにより得られる。したがって、第一層８５〜第四層８８で形成される立体表示体８１がそのまま加飾シート８０をなしている。第一層８５、第二層８６、第三層８７、第四層８８で用いる材料は、それぞれ第１実施形態における第三層１７、第一層１５、第二層１６、第四層１８で用いる材料と同じである。また、それぞれの層厚も同様である。こうして得られた加飾シート８０も、表示部８２の表示形状を立体的に見ることができる。
【００５２】
なお、第５実施形態〜第７実施形態で示した加飾シート５０，６０，７０と同様に、立体表示体８１を、ベースフィルム５０ａやカバーフィルム５９で挟むことも可能であるし、ベースフィルム５０ａやカバーフィルム５９のどちらか一方を、立体表示体８１と積層させることもできる。ベースフィルム５０ａやカバーフィルム５９で覆うことにより、立体表示体８１を保護し、強度や耐久性を向上させることができる。
【００５３】
第９実施形態〔図１８〕；  本実施形態におけるキートップ９０は、表示部９２と縁取部９３を有するが背景部を有しない立体表示体９１を備えるものである。その断面図を図１８に示すが、キートップ９０では、透明な樹脂成形体でなるキートップ本体９０ａの底面９０ｂの縁部に縁取部９３となる第一層９５を印刷形成し、次に表示部９２となる光輝性インキで第二層９６が積層形成されている。すなわち、キートップ９０では、キートップ本体９０ａの底面９０ｂの形状と同一形状の表示部９２が形成されている。第一層９５、第二層９６として用いられる印刷インキは、第３実施形態における第一層３５、第二層３６で用いたインキと同じである。また、その層厚も同様である。このキートップ９０の表面９０ｃから内部を目視すると、表示部９２として形成されたキートップ底面９０ｂに相当する表示形状が浮かび上がって立体的に見ることができる。
【００５４】
第１０実施形態〔図１９〕；  本実施形態におけるキートップ１００は、その平面図が第１実施形態で示したキートップ１０における図４と同様に表れる。そして、表示部１０２と、表示部１０２の周囲に位置して表示部１０２の形状を表出させる背景部１０４を有するものである。また、この背景部１０４の縁部を覆う縁取部１０３が形成されている。
【００５５】
キートップ１００の製造は、キートップ本体１００ａの底面１００ｂに、まず、表示部１０２を形成する遮光性がある第一層１０５を印刷形成し、次に、キートップ底面１００ｂの縁部と、表示部１０２を覆いながらその外側にはみ出す縁取部１０３となる第二層１０６を形成し、最後にキートップ底面１０２ｂを光輝性インキでベタ印刷して第三層１０７を形成する。第一層１０５には、第三層１０７が透視して見えない遮光性があるインキが好ましい。第二層１０６には、背景部１０４の縁部を覆いながらも該縁部を視認可能とする透光性を有するとともに、その可視光線透過率を低減させるフィラーを含む印刷インキが用いられ、他の実施形態における縁取部を形成するために用いる印刷インキと同じ印刷インキを用いることができる。第三層１０７には光輝性を有する背景部１０４とするため、他の実施形態で用いたのと同じ光輝性インキを用いることができる。
【００５６】
こうして得られたキートップ１００は、その表面１００ｃから内部を目視すると、数字「１」の表示形状を示す表示部１０２に対し、その周囲となる背景部１０４が盛り上がって立体的に見ることができる。
【００５７】
第１１実施形態〔図２０〕；  本実施形態におけるキートップ１１０は、表示部１１２の縁部を覆う縁取部１１３と、背景部１１４の縁部を覆う縁取部１１３とを有する。その断面図を図２０に示す。キートップ１１０では、透明な樹脂成形体でなるキートップ本体１１０ａの底面１１０ｂに縁取部１１３となる第一層１１５を印刷形成し、次に表示部１１２となる第二層１１６を光輝性インキで印刷形成し、最後に背景部１１４となる第三層１１７を光輝性インキで印刷形成する。第一層１１５、第二層１１６として用いられる印刷インキは、第３実施形態における第一層３５、第二層３６で用いたインキと同じである。また、第三層１１７として用いられる印刷インキは、第二層１１６と同種の光輝性インキを用いることができるが、その色調が異なるものを用いることが必要である。このキートップ１１０の表面１１０ｃから内部を目視すると、表示部１１２と背景部１１４がともに浮かび上がって立体的に見ることができる。
【００５８】
第１２実施形態〔図２１〕；  本実施形態におけるキートップ１２０は、表示部１２２の縁部を覆う第１縁取部１２３ａと、背景部１２４の縁部を覆う第２縁取部１２３ｂとを有する。その断面図を図２１に示す。キートップ１２０の製造は、透明な樹脂成形体でなるキートップ本体１２０ａの底面１２０ｂに第１縁取部１２３ａとなる第一層１２５を印刷形成し、次に第２縁取部１２３ｂとなる第二層１２６を印刷形成する。それから、表示部１２２となる第三層１２７を光輝性インキで印刷形成し、最後に背景部１２４となる第四層１２８を光輝性インキで印刷形成する。第一層１２５、第二層１２６として用いられる縁取部となる印刷インキは、第３実施形態における第一層３５で用いる印刷インキと同種のインキである。但し、第一層１２５と第二層１２６とでは、可視光線透過率が異なるインキを用いている。第三層１２７、第四層１２８として用いられる印刷インキは、第３実施形態における第二層３６で用いたインキと同種のインキである。ここで、第三層１２７と第四層１２８とを同じ光輝性インキで形成することも可能であるが、表示部１２２と背景部１２４とが共により立体的に区別して視認されるように、色調が異なる光輝性インキを用いている。このキートップ１２０の表面１２０ｃから内部を目視すると、表示部１２２と背景部１２４がともに浮かび上がって立体的に見ることができる。
【００５９】
本実施形態の変更例として、第１縁取部１２３ａと第２縁取部１２３ｂとが部分的に重畳するような構成とすることもできる。
実施形態の変更例；  上記実施形態で示したキートップ１０，２０，３０，４０，９０，１００や、加飾シート５０，６０，７０，８０には種々の変更が可能である。例えば、キートップ１０，２０，３０，４０，９０，１００とした加飾成形体は、キートップ本体１０ａ，２０ａ，３０ａ，４０ａ，９０ａ，１００ａに代えて所定の形状に成形した成形体を用いることにより、液晶ディスプレー用カバー部材などのキートップ以外の加飾成形体とすることができる。また、成形体は樹脂であるものについて説明したが、透明性を有するガラスを用いることも可能である。
【００６０】
第５実施形態〜第７実施形態における加飾シート５０，６０，７０では、何れもカバーフィルム５９とベースフィルム５０ａを有する構成としているが、場合により、これらのフィルムの両方または何れか一方が無い構成の加飾シートとすることも可能である。
【図面の簡単な説明】
【００６１】
【図１】携帯電話機の平面図。
【図２】第１実施形態によるキートップを備えたキーシートの平面図。
【図３】図２に示すキーシートのＳＡ−ＳＡ線断面図。
【図４】図２、図３に示すキーシートに備わる１つのキートップの拡大平面図。
【図５】図４のキートップの断面図であり、分図（Ａ）は図４のＳＢ−ＳＢ線断面図、分図（Ｂ）は分図（Ａ）の領域Ｒ１の拡大断面図。
【図６】立体表示体の形成過程を示す図４のキートップの模式断面図。
【図７】光輝性フィルムの余分部分を切断するを工程を示す図４のキートップの模式断面図。
【図８】第２実施形態によるキートップの断面図であり、分図（Ａ）は図５（Ａ）相当の断面図、分図（Ｂ）は分図（Ａ）の領域Ｒ２の拡大断面図。
【図９】立体表示体の形成過程を示す図８のキートップの模式断面図。
【図１０】光輝性フィルムの余分な部分を除去する工程を示す図８のキートップの模式断面図。
【図１１】第３実施形態によるキートップの断面図であり、分図（Ａ）は図５（Ａ）相当の断面図、分図（Ｂ）は分図（Ａ）の領域Ｒ３の拡大断面図。
【図１２】立体表示体の形成過程を示す図１１のキートップの模式断面図。
【図１３】第４実施形態によるキートップの断面図であり、分図（Ａ）は図５（Ａ）相当の断面図、分図（Ｂ）は分図（Ａ）の領域Ｒ４の拡大断面図。
【図１４】第５実施形態による加飾シートの断面図。
【図１５】第６実施形態による加飾シートの断面図。
【図１６】第７実施形態による加飾シートの断面図。
【図１７】第８実施形態による加飾シートの断面図。
【図１８】第９実施形態によるキートップの図５（Ａ）相当の断面図。
【図１９】第１０実施形態によるキートップの断面図であり、分図（Ａ）は図５（Ａ）相当の断面図、分図（Ｂ）は分図（Ａ）の領域Ｒ５の拡大断面図。
【図２０】第１１実施形態によるキートップの断面図であり、分図（Ａ）は図５（Ａ）相当の断面図、分図（Ｂ）は分図（Ａ）の領域Ｒ６の拡大断面図。
【図２１】第１１実施形態によるキートップの断面図であり、分図（Ａ）は図５（Ａ）相当の断面図、分図（Ｂ）は分図（Ａ）の領域Ｒ７の拡大断面図。
【符号の説明】
【００６２】
１    携帯電話機（機器）
２    ベースシート
３    キーシート
１０，２０，３０，４０，９０，１００，１１０，１２０    キートップ
１０ａ，２０ａ，３０ａ，４０ａ，９０ａ，１００ａ，１１０ａ，１２０ａ    キートップ本体
１０ｂ，２０ｂ，３０ｂ，４０ｂ，９０ｂ，１００ｂ，１１０ｂ，１２０ｂ    キートップ底面  
１０ｃ，２０ｃ，３０ｃ，４０ｃ，９０ｃ，１００ｃ，１０ｃ，１２０ｃ    キートップ表面
１１，２１，３１，４１，５１，６１，７１，８１，９１，１０１，１１１，１２１    立体表示体
１２，２２，３２，４２，５２，６２，７２，８２，９２，１０２，１１２，１２２    表示部（表示形状）
１３，２３，３３，４３，５３，６３，７３，８３，１０３，１１３    縁取部
１２３ａ    第１縁取部
１２３ｂ    第２縁取部
１４，２４，３４，４４，５４，６４，７４，８４，９４，１０４，１１４，１２４    背景部
１５，２５，３５，８５，９５，１０５，１１５，１２５    第一層
１６，２６，３６，８６，９６，１０６，１１６，１２６    第二層
１７，２７，３７，４７，８７，１０７，１１７，１２７    第三層
１８，２８，８８，１２８    第四層
５０，６０，７０，８０    加飾シート
５０ａ    ベースフィルム
５９    カバーフィルム
【図１】
0004761997.tif 000002
【図２】
0004761997.tif 000003
【図３】
0004761997.tif 000004
【図４】
0004761997.tif 000005
【図５】
0004761997.tif 000006
【図６】
0004761997.tif 000007
【図７】
0004761997.tif 000008
【図８】
0004761997.tif 000009
【図９】
0004761997.tif 000010
【図１０】
0004761997.tif 000011
【図１１】
0004761997.tif 000012
【図１２】
0004761997.tif 000013
【図１３】
0004761997.tif 000014
【図１４】
0004761997.tif 000015
【図１５】
0004761997.tif 000016
【図１６】
0004761997.tif 000017
【図１７】
0004761997.tif 000018
【図１８】
0004761997.tif 000019
【図１９】
0004761997.tif 000020
【図２０】
0004761997.tif 000021
【図２１】
0004761997.tif 000022